(57)【特許請求の範囲】
【請求項１】
画面表示部が筐体内をスライドして収納可能な電子機器において、
上記筐体内をスライドし先端部が円弧状に形成された第１の保持部と、
この第１の保持部に対して左右方向に回動可能な第１の回転軸を有すると共に、上下方向に回動可能に上記画面表示部の底面部に取り付けられる第２の回転軸を有する第２の保持部とを備え、
上記画面表示部が上下方向に回動すると共に上記画面表示部の底面部が上記第１の保持部における円弧状の先端部に沿って左右方向に回動し、筐体内に収納可能に構成したことを特徴とするスライド収納式電子機器。
【請求項２】
上記第２の保持部の第１の回動軸と第２の回動軸の取付部とを連結する補強部材を備えたことを特徴とする請求項１記載のスライド収納式電子機器。
【発明の詳細な説明】
【０００１】
【産業上の利用分野】
本発明は、画面表示部が筐体内にスライドして収納可能な電子機器に関し、特に、画面表示部を上下方向及び左右方向に回動させるスライド収納式電子機器に関する。
【０００２】
【従来の技術】
最近、車載用のテレビ受像機が普及してきているが、車内のスペースには制約があるのでその画面表示部としては、広い設置スペースを必要とする家庭用テレビ受像機で用いられているブラウン管（ＣＲＴ）ではなく、薄形、小形の点で優れている液晶表示装置（ＬＣＤ）が広く採用されている。そして、この液晶表示装置は、視聴時以外は筐体内にスライドして収容可能に構成されているものが多くなっており、これによってさらに車内のスペースの効率の良い活用が図られている。図１０はこのように画面表示部を液晶表示装置によって構成したスライド収納式テレビ受像機の従来例を示す上面図で、筐体３０内には水平方向Ｘにスライド自在に一対のスライド板３２が取り付けられ、これらスライド板３２間には図１１の側面図で示すように、回動軸３３を支点として上下方向Ｙに回動自在に液晶表示装置３１が固定されている。液晶表示装置３１は水平方向Ｘに沿った略中央位置で回動軸３３によって軸支されるようになっている。これにより、液晶表示装置３１の上下方向Ｙの角度調整を行うことができる。
【０００３】
図１２は従来の他の例を示す上面図で、液晶表示装置３１はこの端部において、筐体３０に水平方向Ｘにスライド自在に取り付けられたスライド枠３４に固定された第１の保持部３５及びこの略中央位置に回動軸として作用する突起３６Ａによって結合された第２の保持部３６を介して、回動軸３７を支点として上下方向Ｙに回動自在にスライド枠３４の端部に固定されている。図１３は液晶表示装置３１がこの端部において、回動軸３７を支点として上下方向Ｙに回動される様子を示す側面図である。また、図１４は液晶表示装置３１が突起３６Ａからなる回動軸を支点として左右方向Ｚに回動される様子を示す側面図である。これにより、液晶表示装置３１の上下方向Ｙ及び左右方向Ｚの角度調整を行うことができる。
【０００４】
【発明が解決しようとする課題】
ところで、このように画面表示部を液晶表示装置によって構成した従来のスライド収納式テレビ受像機には、次のような問題が存在している。
（１）図１０の構造においては、液晶表示装置３１を上下方向Ｙのみしか角度調整を行うことができず、左右方向Ｚには角度調整ができない。
（２）図１２の構造においては、液晶表示装置３１を上下方向Ｙ及び左右方向Ｚに角度調整できるが、第２の保持部３６が一箇所で左右方向Ｚの回動軸と回動保持部を兼ねているため、回動に対する保持力が弱くなるので、車両走行時にガタが生ずるようになって画面が見づらくなる。また、上下方向Ｙの回動時に液晶表示装置３１の端部を支点として回動が行われるので、支点と重心との距離が長くなるため、同様にガタが生じ易く、この際の振幅も大きくなる。
【０００５】
本発明は以上のような問題に対処してなされたもので、画面表示部を上下方向及び左右方向に角度調整できると共に、ガタの発生を防止するようにしたスライド収納式電子機器を提供することを目的とするものである。
【０００６】
【課題を解決するための手段】
上記目的を解決するために請求項１に係わる本発明は、画面表示部が筐体内をスライドして収納可能な電子機器において、上記筐体内をスライドし先端部が円弧状に形成された第１の保持部と、この第１の保持部に対して左右方向に回動可能な第１の回転軸を有すると共に、上下方向に回動可能に上記画面表示部の底面部に取り付けられる第２の回転軸を有する第２の保持部とを備え、上記画面表示部が上下方向に回動すると共に上記画面表示部の底面部が上記第１の保持部における円弧状の先端部に沿って左右方向に回動し、筐体内に収納可能に構成したことを特徴とするものである。
【０００７】
請求項２に係わる本発明は、請求項１において、上記第２の保持部の第１の回動軸と第２の回動軸の取付部とを連結する補強部材を備えたことを特徴とするものである。
【０００８】
【作用】
請求項１に係わる本発明の構成によれば、先端部が円弧状に形成された第１の保持部に対して、第２の回動軸を介して第２の保持部に取り付けられた画面表示部の底面部が、第１の回転軸を支点として円弧状の先端部に沿って回動することにより、画面表示部は左右方向に回動する。また、第２の保持部が第２の回動軸を支点として回動することにより、画面表示部は上下方向に回動する。これによって、画面表示部は上下方向及び左右方向に角度調整され、また、画面表示部のガタの発生は防止される。
【０００９】
請求項２に係わる本発明の構成によれば、第２の保持部は第１の回動軸と第２の回動軸の取付部とが補強部材によって連結されて固定された状態で、請求項１と同様な作用が行われる。これによって、画面表示部は上下方向及び左右方向に角度調整され、また、画面表示部のガタの発生は防止される。
【００１０】
【実施例】
以下図面を参照して本発明の実施例を説明する。
図１及び図２は本発明のスライド収納式電子機器の第１の実施例を示す上面図及び側面図で、スライド収納式テレビ受像機に適用した例を示している。１は画面表示部を構成する液晶表示装置で、この液晶表示装置１は筐体１０内にスライドして収納可能に構成されており、この液晶表示装置１の底面の略中央位置には回動軸（Ａ）２（第２の回動軸）がスライド方向Ｘと直交する方向に配置されて固定されている。この回動軸（Ａ）２は、これを支点として後述のように液晶表示装置１を上下方向Ｙに回動させる。４は保持部（Ａ）で、この保持部（Ａ）４（第２の保持部）のスライド方向に沿った外側位置には図３に示すようにねじ穴５が設けられると共に、凸部６が形成されてこの凸部６にはねじ穴７が設けられている。そして、ねじ穴７には前記回動軸（Ａ）２に予め設けられているねじ穴２Ａがねじ止めされることにより、回動軸（Ａ）２が保持部（Ａ）４に固定されている。一方、保持部（Ａ）４のスライド方向に沿った内側位置には回動軸（Ｂ）８（第１の回動軸）が設けられている。この回動軸（Ｂ）８は、後述のように液晶表示装置１を左右方向Ｚに回動させる。
【００１１】
９は保持部（Ｂ）で、この保持部（Ｂ）９（第１の保持部）は前記保持部（Ａ）４上の回動軸（Ｂ）８と係合する挿通穴１１を有し、この挿通穴１１に回動軸（Ｂ）８が挿通されて係合され、かつ図２に示すように周囲にばね１５が装着された状態で、保持部（Ａ）４上に配置されている。１６は固定部材であり、ばね１５の上端を固定している。そして、この保持部（Ｂ）９は、後述のように保持部（Ａ）４を介して液晶表示装置１を筐体１０内外にスライドさせるように作用する。１２は保持部（Ｃ）で、この保持部（Ｃ）１２はばね性を有すると共にねじ穴１３を有し、このねじ穴１３には前記保持部（Ａ）４の外側位置のねじ穴５がねじ止めされることにより、保持部（Ａ）４に固定されている。これにより、保持部（Ｂ）９の先端部９Ａは各々保持部（Ａ）４及び保持部（Ｃ）１２によって押圧された状態になっている。
【００１２】
保持部（Ａ）４の回動軸（Ｂ）８と係合することにより、保持部（Ａ）４を介して液晶表示装置１を筐体１０の内外にスライドさせる保持部（Ｂ）９は、図３に示すように板状部材から構成されており、この先端部９Ａは円弧状に形成されている。また、駆動モータ１７が設置されていて、この駆動モータ１７からの駆動力は各種ギア列を含む駆動機構１８を介して、図４に示されるガイドシャフト１９に伝達されることにより、液晶表示装置１を水平方向Ｘにスライドさせるようになっている。
【００１３】
図４は本実施例における信号系統のシステム図を示すもので、ＳＷ１は液晶表示装置１に内蔵されていてこの液晶表示装置の回動状態を検出する回動検出スイッチ、ＳＷ２は手前側検出スイッチ、ＳＷ３は奥側検出スイッチ、１９はガイドシャフト、２０はマイコン、２１はチューナー、２２は操作部、２２Ａは開閉スイッチ、２２Ｂは電源スイッチである。マイコン２０は各スイッチＳＷ１、ＳＷ２、ＳＷ３、２２Ａ、２２Ｂ等からの信号を受けて、駆動モータ１７やチューナー２１等の映像表示系の制御を行う。駆動モータ１７の駆動力は、駆動機構１８を介してガイドシャフト１９に伝達されて、前記のように液晶表示装置１が筐体１０内外に水平方向Ｘにスライドされる。
【００１４】
次に本実施例の動作を説明する。保持部（Ｂ）９はこの先端部９Ａが各々保持部（Ａ）４及び保持部（Ｃ）１２によって押圧された状態で、駆動モータ１７の駆動力により保持部（Ａ）４を介して液晶表示装置１を図２のように筐体１０の外部にスライドさせる。続いて、手動によって回動軸（Ａ）２を回動して液晶表示装置１を上下方向Ｙに回動する。これにより、液晶表示装置１は上下方向Ｙに任意の角度だけ角度調整される。
【００１５】
次に、同様に液晶表示装置１が筐体１０の外部にスライドされている状態で、手動によって回動軸（Ｂ）８を駆動する。これにより、回動軸（Ｂ）８はこれを支点として、図５のように中心位置Ｌから保持部（Ｂ）９の先端部９Ａに沿って右方向（図では上方向）に回動する。あるいは、図６のように中心位置Ｌから保持部（Ｂ）９の先端部９Ａに沿って左方向（図では下方向）に回動する。この結果、保持部（Ａ）４の外側位置に固定されている回動軸（Ａ）２を介して、液晶表示装置１は左右方向Ｚに回動されるので、左右方向Ｚに任意の角度だけ角度調整される。
【００１６】
従って、このような第１の実施例によれば次のような効果が得られる。
（１）液晶表示装置１を上下方向Ｙだけでなく、左右方向Ｚにも角度調整することができる。
（２）液晶表示装置１は、これが固定されている回動軸（Ａ）２とは別体である保持部（Ａ）４によって左右方向Ｚの回動が行われるため、回動に対する保持力が弱くならないので、車両走行時にガタが生じることがなく、画面が見づらくならない。また、上下方向Ｙの回動時に液晶表示装置１はこの底面の略中央位置が支点となって回動が行われるので、支点と重心との距離が短くなるため、同様にガタは生じない。さらに、本実施例によれば、液晶表示装置１をスライドさせる保持部（Ｂ）９が、先端部９Ａで保持部（Ａ）４及び保持部（Ｃ）１２により常に押圧されているので、より一層ガタの発生は防止される。
（３）図１２の従来構造に比べて構造を簡単にすることが可能なため安価にでき、また左右方向Ｚの回動角度を大きくとることができる。
【００１７】
図７及び図８は本発明の第２の実施例を示す上面図及び側面図で、第１の実施例と同様にスライド収納式テレビ受像機に適応した例を示している。図９は本実施例の主要部を示す構成部品の分解図である。第１の実施例と同一部分又は相当部分は同一番号で示している。画面表示部を構成する液晶表示装置１は筐体１０内にスライドして収納可能に構成されており、この液晶表示装置１の底面の略中央位置には回動軸（Ａ）２（第２の回動軸）がスライド方向Ｘと直交する方向に配置されて固定され、この回動軸（Ａ）２はこれを支点として後述のように液晶表示装置１を上下方向Ｙに回動させる。保持部（Ａ）４（第２の保持部）のスライド方向に沿った外側位置には図９に示すようにねじ穴７Ａ乃至７Ｄと共に、ねじ穴５が設けられている。この保持部（Ａ）４の外側位置は上記回動軸（Ａ）２の取付部となる。一方、保持部（Ａ）４のスライド方向に沿った内側位置には回動軸（Ｂ）８（第１の回動軸）が設けられている。さらに、この保持部（Ａ）４の中央位置には回動軸（Ｂ）８から放射状に一対の凸部４Ａ、４Ｂが形成され、これら凸部４Ａ、４Ｂには各々ピン４ａ，４ｂが設けられている。
【００１８】
保持部（Ｂ）９（第１の保持部）は前記保持部（Ａ）４上の回動軸（Ｂ）８と係合する挿通穴１１を有すると共に、円弧状に形成された先端部９Ａには円弧に沿って一対の長穴９ａ，９ｂが設けられ、これら長穴９ａ，９ｂには上記ピン４ａ，４ｂが挿通可能になっている。保持部（Ｃ）１２はばね性を有すると共に上記保持部（Ａ）４のねじ穴５に対応したねじ穴１３を有している。２５は補強板（補強部材）で、この補強板２５は一端側に上記保持部（Ｂ）９の挿通穴１１に対応したねじ穴２６を有すると共に、他端側に上記保持部（Ａ）４のねじ穴７Ａ乃至７Ｄに対応した切溝２７Ａ乃至２７Ｄを有している。
【００１９】
以上のような保持部（Ａ）４、保持部（Ｂ）９、保持部（Ｃ）１２及び補強板２５を図９のように配置した状態で、保持部（Ａ）４上に保持部（Ｂ）９を挿通穴１１に回動軸（Ｂ）８を挿通すると共に、長穴９ａ，９ｂに各々ピン４ａ，４ｂを挿通することにより重ね、また、保持部（Ｂ）９上に保持部（Ｃ）１２を重ね、さらに、保持部（Ｃ）１２上に補強板２５を重ね合わせる。そして、保持部（Ｃ）１２をこのねじ穴１３及び保持部（Ａ）４のねじ穴５にねじ２８をねじ込んで固定する。また、保持部（Ｂ）９の挿通穴１１に係合された回動軸（Ｂ）８の周囲にリングバネ２４を装着した状態で、補強板２５をこのねじ穴２６及び回動軸（Ｂ）８の内部のねじ穴８Ａにねじ２８をねじ込む。さらに、補強板２５をこの切溝２７Ａ乃至２７Ｄから回動軸（Ａ）２のねじ穴２Ａを通じて保持部（Ａ）４のねじ穴７Ａ乃至７Ｄにねじ２８をねじ込む。
【００２０】
これによって、補強板２５は保持部（Ａ）４の回動軸（Ｂ）８と回動軸（Ａ）２の取付部を連結して固定するように作用している。また、このような構造によれば、保持部（Ｂ）９の後端部はリングバネ２４の付勢力によって押圧されると共に、その先端部９Ａは各々保持部（Ａ）４及び保持部（Ｃ）１２によって押圧された状態になっている。
【００２１】
このような第２の実施例によれば、保持部（Ｂ）９はこの後端部がリングバネ２４によって押圧されると共に、この先端部９Ａが各々保持部（Ａ）４及び保持部（Ｃ）１２によって押圧された状態で、駆動モータ１７の駆動力により保持部（Ａ）４を介して液晶表示装置１を図８のように筐体１０の外部にスライドさせる。続いて、手動によって回動軸（Ａ）２を駆動して液晶表示装置１を上下方向Ｙに回動する。これにより、液晶表示装置１は上下方向Ｙに任意の角度だけ角度調整される。
【００２２】
次に、同様に液晶表示装置１が筐体１０の外部にスライドされている状態で、手動によって回動軸（Ｂ）８を駆動する。これにより、回動軸（Ｂ）８はこれを支点として、ピン４ａ，４ｂが各々保持部（Ｂ）９の先端部９Ａの長穴９ａ，９ｂに沿って上方向（図７において）に回動する。あるいは、ピン４ａ，４ｂが各々保持部（Ｂ）９の先端部９Ａの長穴９ａ，９ｂに沿って下方向（図７において）に回動する。この結果、保持部（Ａ）４の外側位置に固定されている回動軸（Ａ）２を介して、液晶表示装置１は左右方向Ｚに回動されるので、左右方向Ｚに任意の角度だけ角度調整される。
【００２３】
従って、このような第２の実施例によれば次のような効果が得られる。
（１）液晶表示装置１を上下方向Ｙだけでなく、左右方向Ｚにも角度調整することができる。
（２）液晶表示装置１は、これが固定されている回動軸（Ａ）２とは別体である保持部（Ａ）４によって左右方向Ｚの回動が行われるため、回動に対する保持力が弱くならないので、車両走行時にガタが生じることがなく、画面が見づらくならない。また、上下方向Ｙの回動時に液晶表示装置１はこの底面の略中央位置が支点となって回動が行われるので、支点と重心との距離が短くなるため、同様にガタは生じない。さらに、本実施例によれば、液晶表示装置１をスライドさせる保持部（Ｂ）９が、後端部がリングバネ２４によって押圧されると共に先端部９Ａで保持部（Ａ）４及び保持部（Ｃ）１２により常に押圧されているので、より一層ガタの発生は防止される。さらにまた、本実施例によれば、保持部（Ａ）４は回動軸（Ｂ）８と回動軸（Ａ）２の取付部とが補強板２５によって連結されて固定された状態で、液晶表示装置１を上下左右に回動させるので、さらに一層ガタの発生は防止される。
（３）図１２の従来構造に比べて構造を簡単にすることが可能なため安価にでき、また左右方向Ｚの回動角度を大きくとることができる。
【００２４】
本文中では、電子機器として液晶表示装置１から構成される画面表示部を有するスライド収納式テレビ受像機に例をあげて説明したが、これに限らず画面表示部がスライド収納式からなっており、かつ画面表示部が筐体内から引き出された状態で、上下方向及び左右方向に回動させる必要のある電子機器であれば、同様に適用することができる。また、保持部（Ａ）４及び保持部（Ｃ）１２は一体に形成しても良い。さらに、筐体内外に画面表示部をスライドさせる機構は、通常用いられている各種スライド機構の中から任意に選ぶことができる。
【００２５】
【発明の効果】
請求項１に係わる本発明によれば、筐体内をスライドし先端部が円弧状に形成された第１の保持部と、この第１の保持部に対して左右方向に回動可能な第１の回転軸を有すると共に、上下方向に回動可能に上記画面表示部の底面部に取り付けられる第２の回転軸を有する第２の保持部とを備えるように構成したので、画面表示部を上下方向及び左右方向に角度調整できると共に、ガタの発生を防止することができる。
【００２６】
請求項２に係わる本発明によれば、第２の保持部は第１の回動軸と第２の回動軸の取付部とが補強部材によって連結されて固定された状態で、請求項１と同様な作用が行われるので、画面表示部を上下方向及び左右方向に角度調整できると共に、さらに一層ガタの発生を防止することができる。
【図面の簡単な説明】
【図１】本発明のスライド収納式電子機器をテレビ受像機に適用した第１の実施例を示す上面図である。
【図２】図１の側面図である。
【図３】第１の実施例の主要部の構成部品の分解図である。
【図４】第１の実施例における信号系統のシステム図である。
【図５】第１の実施例において画面表示部を左右方向に回動する例を示す上面図である。
【図６】第１の実施例において画面表示部を左右方向に回動する他の例を示す上面図である。
【図７】本発明の第２の実施例を示す上面図である。
【図８】図７の側面図である。
【図９】第２の実施例の主要部の構成部品の分解図である。
【図１０】従来例を示す上面図である。
【図１１】図１０の側面図である。
【図１２】他の従来例を示す上面図である。
【図１３】図１２の側面図である。
【図１４】図１２において画面表示部を左右方向に回動する例を示す上面図である。
【符号の説明】
１  液晶表示装置
２  回動軸（Ａ）（第２の回動軸）
４  保持部（Ａ）（第２の保持部）
４ａ，４ｂ  ピン
８  回動軸（Ｂ）（第１の回動軸）
９  保持部（Ｂ）（第１の保持部）
９Ａ  円弧状の先端部
９ａ，９ｂ  長穴
１０  筐体
１１  挿通穴
１２  保持部（Ｃ）
１５  バネ
１７  駆動モータ
１８  駆動機構
１９  ガイドシャフト
２０  マイコン
２４  リングバネ
２５  補強板
【図１】
0003566983.tif 000002
【図２】
0003566983.tif 000003
【図３】
0003566983.tif 000004
【図４】
0003566983.tif 000005
【図５】
0003566983.tif 000006
【図６】
0003566983.tif 000007
【図７】
0003566983.tif 000008
【図８】
0003566983.tif 000009
【図９】
0003566983.tif 000010
【図１０】
0003566983.tif 000011
【図１１】
0003566983.tif 000012
【図１２】
0003566983.tif 000013
【図１３】
0003566983.tif 000014
【図１４】
0003566983.tif 000015